(57)【要約】【課題】金属製のストッパー板を係止している状態において、ストッパー板の動きを規制し、ストッパー板の係止を解除できないようにした、従来にない新規な構成のドアストッパーを提供する。【解決手段】ドアストッパー１１は、ドアＤに取り付けられるケース１２と、ケース１２に設けられ、ストッパー板３を引き寄せてケース１２の底壁２５に当接させ、ドアＤの開閉を規制する磁石２１と、底壁２５に設けられ、ストッパー板３を係止する係止部材４０と、ケース１２に設けられ、係止部材４０側に移動して係止部材４０とでストッパー板３の動きを規制する規制位置と、反係止部材４０側に移動して係止部材４０から離間しストッパー板３の動きを規制しない非規制位置に移動可能となるように構成された規制部材４１とからなる。【選択図】図１
2018031195.tif 000002
【特許請求の範囲】
【請求項１】
開閉するドアに取り付けられ、ドアが開閉して、床面に回動可能に設けられた金属製のストッパー板の上方に位置すると、当該ストッパー板を磁石によって引き寄せて係合し、ドアの開閉を阻止するドアストッパーであって、
ドアに取り付けられるケースと、
前記ケースに設けられ、前記ストッパー板を引き寄せて前記ケースの底壁に当接させ、ドアの開閉を規制する磁石と、
前記ケースの底壁に設けられ、前記ストッパー板を係止する係止部材と、
前記ケースに設けられ、前記係止部材側に移動して係止部材とで前記ストッパー板の動きを規制する規制位置と、反係止部材側に移動して係止部材から離間し前記ストッパー板の動きを規制しない非規制位置に移動可能となるように構成された規制部材と、からなることを特徴とするドアストッパー。
【請求項２】
前記ケース及び前記規制部材の一方には係合部が設けられ、前記ケース及び前記規制部材の他方には前記係合部と係合する第１の被係合部及び第２の被係合部が設けられ、
前記規制部材は、前記係合部と前記第１の被係合部が係合すると、非規制位置で位置決めされ、前記係合部と前記第２の被係合部が係合すると、規制位置で位置決めされることを特徴とする請求項１記載のドアストッパー。
【請求項３】
前記係合部及び前記被係合部の一方は係合凸部であり、前記係合部及び前記被係合部の他方は係合凹部であることを特徴とする請求項２記載のドアストッパー。
【請求項４】
前記係止部材は、
前記ケースの底壁に設けられ、前記ストッパー板の先端を係止する係止凸部と、
前記係止凸部の下部に設けられ、前記ストッパー板の先端下部が接触するアーム部と、
前記アーム部の先端に設けられ、前記ストッパー板の係止開口に挿通する係止突起と、からなり、
前記ケースの底壁と前記係止突起の隙間は、ストッパー板の先端が挿通できるように形成され、
前記規制部材は、規制位置において、前記ストッパー板の係止開口に前記係止突起を挿通させた状態のストッパー板の動きを規制し、非規制位置において、前記ストッパー板の係止開口から前記係止突起を外した状態のストッパー板の動きを規制しないように構成されていることを特徴とする請求項１、２又は３記載のドアストッパー。
【請求項５】
前記規制部材は、前記ケースに摺動可能に取り付けられたカバーであることを特徴とする請求項１乃至４のいずれか１項に記載のドアストッパー。
【発明の詳細な説明】
【技術分野】
【０００１】
本願発明は、ドアの所定位置に取り付けられ、ドアを開くと、床面に設けられた金属製のストッパー板に係止され、ドアの開閉を規制するドアストッパーに関する。
【背景技術】
【０００２】
従来のドアストッパーは、開閉するドアに取り付けられ、床面に設けられたストッパー装置に係止されてドアの回転を規制する。ストッパー装置は、床面に固定された基台と、基台に回動可能に取り付けられた金属製のストッパー板とからなる。従来のドアストッパーは、開閉するドアに取り付けられるケースを有し、ケース内には磁石が設けられている。従来のドアストッパーは、ドアを開閉してケースがストッパー装置の上方に位置すると、磁石がストッパー板を引き上げてケースの底壁に当接させてドアの開閉を規制する（例えば、特許文献１、２）。
【０００３】
従来のドアストッパーは、上記したように、ドアを開くと、ドアに取り付けたケースの磁石が、床面に設けられたストッパー装置のストッパー板を引き上げてケースの底壁に当接させ、ドアがこれ以上開くのを規制するが、さらに、ドアを開いた状態で保持することができるものがあった。ドアを開いた状態で保持するドアストッパーは、ケースにロック部材が設けられている。このロック部材は、ケースに設けられた操作部材の操作によって、ケースの底壁から出没する（例えば、特許文献３、４）。
【０００４】
ロック部材は、ケースの底壁から突出すると、磁石の磁力により底壁に引き上げられたストッパー板の係止開口を挿通し、ストッパー板を係止してドアを開いた状態で保持する。また、ロック部材は、ケース内に没入すると、磁石の磁力により底壁に引き上げられたストッパー板の係止開口から離脱し、ストッパー板の係止を解除してドアの閉じる方向への回動が可能となる。
【先行技術文献】
【特許文献】
【０００５】
【特許文献１】特許第２９８３５３０号公報
【特許文献２】特許第２９９０６０１号公報
【特許文献３】特許第３５５３８１８号公報
【特許文献４】特許第３４７７１５４号公報
【発明の概要】
【発明が解決しようとする課題】
【０００６】
上記したように、従来のドアストッパーは、金属製のストッパー板を磁石により引き上げてケースの底壁に当接させ、ロック部材をケースの底壁から突出させてストッパー板を係止する構成であるが、ストッパー板を磁石により引き上げているだけなので、ストッパー板が下方に回動して底壁から離れる可能性がある。ストッパー板が底壁から離れる可能性として、磁石の磁力の低下の場合、ストッパー板に磁石の磁力以上の負荷がかかった場合、底壁とストッパー板の間に物が詰まった場合等がある。ストッパー板が下方に回動して底壁から離れると、ロック部材からストッパー板が外れて係止が解除され、ドアの開いた状態が保持されなくなり、ドアが回動してしまうという問題点があった。
【０００７】
本願発明は、上記問題点に鑑み案出したものであって、金属製のストッパー板を係止している状態において、ストッパー板の動きを規制し、ストッパー板の係止を解除できないようにした、従来にない新規な構成のドアストッパーを提供することを目的とする。
【課題を解決するための手段】
【０００８】
本願発明に係るドアストッパーは、上記目的を達成するため、開閉するドアに取り付けられ、ドアが開閉して、床面に回動可能に設けられた金属製のストッパー板の上方に位置すると、当該ストッパー板を磁石によって引き寄せて係合し、ドアの開閉を阻止するドアストッパーであって、ドアに取り付けられるケースと、前記ケースに設けられ、前記ストッパー板を引き寄せて前記ケースの底壁に当接させ、ドアの開閉を規制する磁石と、前記ケースの底壁に設けられ、前記ストッパー板を係止する係止部材と、前記ケースに設けられ、前記係止部材側に移動して係止部材とで前記ストッパー板の動きを規制する規制位置と、反係止部材側に移動して係止部材から離間し前記ストッパー板の動きを規制しない非規制位置に移動可能となるように構成された規制部材と、からなることを特徴とする。
【０００９】
本願発明に係るドアストッパーは、上記目的を達成するため、前記ケース及び前記規制部材の一方には係合部が設けられ、前記ケース及び前記規制部材の他方には前記係合部と係合する第１の被係合部及び第２の被係合部が設けられ、前記規制部材は、前記係合部と前記第１の被係合部が係合すると、非規制位置で位置決めされ、前記係合部と前記第２の被係合部が係合すると、規制位置で位置決めされることを特徴とする。
【００１０】
本願発明に係るドアストッパーは、上記目的を達成するため、前記係合部及び前記被係合部の一方は係合凸部であり、前記係合部及び前記被係合部の他方は係合凹部であることを特徴とする。
【００１１】
本願発明に係るドアストッパーは、上記目的を達成するため、前記係止部材は、前記ケースの底壁に設けられ、前記ストッパー板の先端を係止する係止凸部と、前記係止凸部の下部に設けられ、前記ストッパー板の先端下部が接触するアーム部と、  前記アーム部の先端に設けられ、前記ストッパー板の係止開口に挿通する係止突起とからなり、前記ケースの底壁と前記係止突起の隙間は、ストッパー板の先端が挿通できるように形成され、前記規制部材は、規制位置において、前記ストッパー板の係止開口に前記係止突起を挿通させた状態のストッパー板の動きを規制し、非規制位置において、前記ストッパー板の係止開口から前記係止突起を外した状態のストッパー板の動きを規制しないように構成されていることを特徴とする。
【００１２】
本願発明に係るドアストッパーは、上記目的を達成するため、前記規制部材は、前記ケースに摺動可能に取り付けられたカバーであることを特徴とする。
【発明の効果】
【００１３】
本願発明に係るドアストッパーは、開閉するドアに取り付けられ、ドアが開閉して、床面に回動可能に設けられた金属製のストッパー板の上方に位置すると、当該ストッパー板を磁石によって引き寄せて係合し、ドアの開閉を阻止する。本願発明に係るドアストッパーは、ドアに取り付けられるケースと、前記ケースに設けられ、前記ストッパー板を引き寄せて前記ケースの底壁に当接させ、ドアの開閉を規制する磁石と、前記ケースの底壁に設けられ、前記ストッパー板を係止する係止部材と、前記ケースに設けられ、前記係止部材側に移動して係止部材とで前記ストッパー板の動きを規制する規制位置と、反係止部材側に移動して係止部材から離間し前記ストッパー板の動きを規制しない非規制位置に移動可能となるように構成された規制部材とからなる。
【００１４】
本願発明に係るドアストッパーは、開閉するドアに取り付けられ、規制部材を非規制位置に移動させておく。ドアを開く方向に回動して、床面に回動可能に設けられた金属製のストッパー板の上方にケースが位置すると、ストッパー板が磁石によって引き寄せられてケースに係合し、ドアの開く方向への回転を阻止し、ドアの閉じる方向への回転を阻止しないようにすることできる。非規制位置では、規制部材が係止部材から離間しており、ストッパー板が係止部材に係止された形態となっている。
【００１５】
本願発明に係るドアストッパーは、ケースの係止部材にストッパー板を係止している状態の時に、規制部材を規制位置に移動させると、規制部材と係止部材とでストッパー板の動きを規制するので、ストッパー板の係止を解除することができなくなり、ドアの閉じる方向への回転も阻止され、ドアの開いた状態が保持されることになる。本願発明に係るドアストッパーは、規制部材を非規制位置に移動させると、規制部材と係止部材とでストッパー板の動きを規制しなくなり、ストッパー板の係止を解除することができるようになり、ドアを閉じる方向へ回転させることができる。本願発明に係るドアストッパーは、規制部材を規制位置に移動させると、規制部材と係止部材とでストッパー板の動きを規制するので、ストッパー板が係止部材から離れることがなく、ストッパー板の係止が解除不能になるという効果がある。
【００１６】
本願発明に係るドアストッパーは、前記ケース及び前記規制部材の一方には係合部が設けられ、前記ケース及び前記規制部材の他方には前記係合部と係合する第１の被係合部及び第２の被係合部が設けられている。前記規制部材は、前記係合部と前記第１の被係合部が係合すると、非規制位置で位置決めされ、前記係合部と前記第２の被係合部が係合すると、規制位置で位置決めされる。
【００１７】
本願発明に係るドアストッパーは、規制部材を移動して、前記ケース及び前記規制部材の一方に設けられた係合部を、前記ケース及び前記規制部材の他方に設けられた第１の被係合部に係合すると、規制部材が非規制位置で位置決めされる。本願発明に係るドアストッパーは、規制部材を移動して、前記ケース及び前記規制部材の一方に設けられた係合部を、前記ケース及び前記規制部材の他方に設けられた第２の被係合部に係合すると、規制部材が規制位置で位置決めされる。このように、本願発明に係るドアストッパーは、確実に切り替え動作をさせることができるという効果がある。
【００１８】
本願発明に係るドアストッパーは、前記係合部及び前記被係合部の一方は係合凸部であり、前記係合部及び前記被係合部の他方は係合凹部である。
【００１９】
本願発明に係るドアストッパーは、規制部材を移動して、前記ケース及び前記規制部材の一方に設けられた係合凸部を、前記ケース及び前記規制部材の他方に設けられた第１の係合凹部に係合すると、規制部材が非規制位置で位置決めされる。本願発明に係るドアストッパーは、規制部材を移動して、前記ケース及び前記規制部材の一方に設けられた係合凸部を、前記ケース及び前記規制部材の他方に設けられた第２の係合凹部に係合すると、規制部材が規制位置で位置決めされる。このように、本願発明に係るドアストッパーは、係合部及び被係合部の一方を係合凸部とし、係合部及び被係合部の他方を係合凹部とすることにより、一層確実に切り替え動作をさせることができるという効果がある。
【００２０】
本願発明に係るドアストッパーは、前記係止部材が、前記ケースの底壁に設けられ、前記ストッパー板の先端を係止する係止凸部と、前記係止凸部の下部に設けられ、前記ストッパー板の先端下部が接触するアーム部と、前記アーム部の先端に設けられ、前記ストッパー板の係止開口に挿通する係止突起とからなる。前記ケースの底壁と前記係止突起の隙間は、ストッパー板の先端が挿通できるように形成されている。前記規制部材は、規制位置において、前記ストッパー板の係止開口に前記係止突起を挿通させた状態のストッパー板の動きを規制し、非規制位置において、前記ストッパー板の係止開口から前記係止突起を外した状態のストッパー板の動きを規制しないように構成されている。
【００２１】
本願発明に係るドアストッパーは、規制部材を非規制位置に移動させておく。ドアを開く方向に回動して、床面に回動可能に設けられた金属製のストッパー板の上方にケースが位置すると、ストッパー板の先端が磁石によって引き寄せられてケースの底壁に摺接する。ストッパー板の先端は、ケースの底壁と係止突起の隙間を通過して、係止凸部に係止される。このように、本願発明に係るドアストッパーは、ストッパー板に係止されて、ドアの開く方向への回転が阻止される。しかし、ドアの閉じる方向への回転は阻止されていないので、ドアを閉じる方向へ回動することができる。非規制位置では、ストッパー板が係止部材の係止凸部に係止される形態となっており、ドアの開く方向への回動は阻止されるが、規制部材が係止部材から離間しているので、ドアの閉じる方向への回動は阻止されない。
【００２２】
本願発明に係るドアストッパーは、係止部材の係止凸部にストッパー板の先端を係止している状態の時に、規制部材を規制位置に移動させると、 規制部材がストッパー板を磁石の磁力に抗してケースの底壁から離れる方向に移動させ、ストッパー板の先端下部を係止部材のアーム部に接触させ、ストッパー板の係止開口に係止部材の係止突起を挿通させる。規制部材は、この状態のストッパー板の動きを規制するので、ストッパー板の係止を解除することができなくなり、ドアの閉じる方向への回転も阻止され、ドアの開いた状態が保持されることになる。
【００２３】
本願発明に係るドアストッパーは、規制部材を規制位置に移動させると、ストッパー板の先端を係止部材と規制部材によって完全に保持し、ストッパー板の動きを完全に規制するので、ストッパー板が係止部材から外れることがなく、ストッパー板の係止が解除不能になるという効果がある。本願発明に係るドアストッパーは、規制部材を非規制位置に移動させると、係止開口から係止突起が外れ、ストッパー板の動きが規制されなくなり、ストッパー板の係止を解除することができるようになり、ドアを閉じる方向へ回動させることができる。
【００２４】
本願発明に係るドアストッパーは、前記規制部材が前記ケースに摺動可能に取り付けられたカバーであると、操作性が向上し、デザイン面に優れ、部品点数が少なくなり、機能的で安価の構成にすることができるという効果がある。
【図面の簡単な説明】
【００２５】
【図１】本願発明に係るドアストッパーの一実施例を示す分解斜視図である。
【図２】図１の組立斜視図である。
【図３】図２の内部を説明する図であって、（ａ）が斜視断面図、（ｂ）が側面断面図である。
【図４】図１のドアストッパーのケースを説明する図であって、（ａ）が正面側斜視図、（ｂ）が背面側斜視図である。
【図５】図４のケースを説明する図であって、（ａ）が正面図、（ｂ）が左側面図、（ｃ）が右側面図、（ｄ）がＡ−Ａ断面図、（ｅ）が背面図、（ｆ）が平面図、（ｇ）が底面図である。
【図６】図１のドアストッパーのカバーを説明する図であって、（ａ）が正面側斜視図、（ｂ）が背面側斜視図である。
【図７】図６のカバーを説明する図であって、（ａ）が正面図、（ｂ）が左側面図、（ｃ）が右側面図、（ｄ）がＡ−Ａ断面図、（ｅ）が背面図、（ｆ）が平面図、（ｇ）が底面図である。
【図８】図１のドアストッパーの動きを説明する説明図である。
【発明を実施するための形態】
【００２６】
本願発明に係るドアストッパーの概要について説明する。ドアストッパー１１は、図２に示すように、開閉するドアＤに取り付けられ、ドアＤが開閉して、図８（ｂ）に示すように、床面に回動可能に設けられた金属製のストッパー板３の上方に位置すると、当該ストッパー板３を磁石２１によって引き寄せて係合し、図８（ｃ）に示すように、ドアＤの開閉を阻止する。ドアストッパー１１は、図１，３に示すように、ドアＤに取り付けられるケース１２と、前記ケース１２に設けられ、前記ストッパー板３を引き寄せて前記ケース１２の底壁２５に当接させ、ドアＤの開閉を規制する磁石２１と、前記ケース１２の底壁２５に設けられ、前記ストッパー板３を係止する係止部材４０と、前記ケース１２に設けられ、前記係止部材４０側に移動して係止部材４０とで前記ストッパー板３の動きを規制する規制位置と、反係止部材４０側に移動して係止部材４０から離間し前記ストッパー板３の動きを規制しない非規制位置に移動可能となるように構成された規制部材４１とからなる。
【００２７】
ドアストッパー１１は、開閉するドアＤに取り付けられ、図８（ａ）に示すように、規制部材４１を非規制位置に移動させておく。図８（ｂ）に示すように、ドアＤを開く方向Ａに回動して、床面に回動可能に設けられた金属製のストッパー板３の上方にケース１２が位置すると、ストッパー板３が磁石２１によって引き寄せられてケース１２に係合し、ドアＤの開く方向Ａへの回転を阻止し、ドアＤの閉じる方向Ｂへの回転を阻止しないようにすることできる。非規制位置では、規制部材４１が係止部材４０から離間しており、ストッパー板３が係止部材４０に係止された形態となっている。
【００２８】
ドアストッパー１１は、ケース１２の係止部材４０にストッパー板３を係止している状態の時に、図８（ｄ）に示すように、規制部材４１を規制位置に移動させると、規制部材４１と係止部材４０とでストッパー板３の動きを規制するので、ストッパー板３の係止を解除することができなくなり、ドアＤの閉じる方向Ｂへの回転も阻止され、ドアＤの開いた状態が保持されることになる。
【００２９】
ドアストッパー１１は、図８（ｅ）に示すように、規制部材４１を非規制位置に移動させると、規制部材４１と係止部材４０とでストッパー板３の動きを規制しなくなり、ストッパー板３の係止を解除することができるようになるので、ドアＤを閉じる方向Ｂへ回転させることができる。ドアストッパー１１は、規制部材４１を規制位置に移動させると、規制部材４１と係止部材４０とでストッパー板３の動きを規制するので、ストッパー板３が係止部材４０から離れることがなく、ストッパー板３の係止が解除不能になる一方、規制部材４１を非規制位置に移動させると、規制部材４１と係止部材４０とでストッパー板３の動きを規制しなくなるので、ストッパー板３の係止が解除可能になる。
【００３０】
ドアストッパー１１は、図４に示すように、前記ケース１２及び前記規制部材４１の一方に係合部３１，３２が設けられ、図６に示すように、前記ケース１２及び前記規制部材４１の他方に前記係合部３１，３２と係合する第１の被係合部５３，５４及び第２の被係合部５５，５６が設けられている。前記規制部材４１は、前記係合部３１，３２と前記第１の被係合部５３，５４が係合すると、非規制位置で位置決めされ、前記係合部３１，３２と前記第２の被係合部５５，５６が係合すると、規制位置で位置決めされる。
【００３１】
ドアストッパー１１は、規制部材４１を移動して、前記ケース１２及び前記規制部材４１の一方に設けられた係合部３１，３２を、前記ケース１２及び前記規制部材４１の他方に設けられた第１の被係合部５３，５４に係合すると、規制部材４１が非規制位置で位置決めされる。また、ドアストッパー１１は、規制部材４１を移動して、前記ケース１２及び前記規制部材４１の一方に設けられた係合部３１，３２を、前記ケース１２及び前記規制部材４１の他方に設けられた第２の被係合部５５，５６に係合すると、規制部材４１が規制位置で位置決めされる。このように、ドアストッパー１１は、確実に切り替え動作をさせることができる。
【００３２】
ドアストッパー１１は、前記係合部３１，３２及び前記被係合部５３〜５６の一方が係合凸部であり、前記係合部３１，３２及び前記被係合部５３〜５６の他方が係合凹部であることが望ましい。
【００３３】
即ち、ドアストッパー１１は、規制部材４１を移動して、前記ケース１２及び前記規制部材４１の一方に設けられた係合凸部３１，３２を、前記ケース１２及び前記規制部材４１の他方に設けられた第１の係合凹部５３，５４に係合すると、規制部材４１が非規制位置で位置決めされる。また、ドアストッパー１１は、規制部材４１を移動して、前記ケース１２及び前記規制部材４１の一方に設けられた係合凸部３１，３２を、前記ケース１２及び前記規制部材４１の他方に設けられた第２の係合凹部５５，５６に係合すると、規制部材４１が規制位置で位置決めされる。このように、ドアストッパー１１は、係合部３１，３２及び被係合部５３〜５６の一方を係合凸部とし、係合部３１，３２及び被係合部５３〜５６の他方を係合凹部とすることにより、一層確実に切り替え動作をさせることができる。
【００３４】
ドアストッパー１１は、図５に示すように、前記係止部材４０が、前記ケース１２の底壁２５に設けられ、前記ストッパー板３の先端３ｂを係止する係止凸部２６と、前記係止凸部２６の下部に設けられ、前記ストッパー板３の先端３ｂ下部が接触するアーム部２４と、前記アーム部２４の先端に設けられ、前記ストッパー板３の係止開口５に挿通する係止突起２７とからなる。前記ケース１２の底壁２５と前記係止突起２７の隙間Ｈは、ストッパー板３の先端３ｂが挿通できるように形成されている。前記規制部材４１は、図８（ｄ）に示すように、規制位置において、前記ストッパー板３の係止開口５に前記係止突起２７を挿通させた状態のストッパー板３の動きを規制し、図８（ｅ）に示すように、非規制位置において、前記ストッパー板３の係止開口５から前記係止突起２７を外した状態のストッパー板３の動きを規制しないように構成されている。
【００３５】
ドアストッパー１１は、図８（ａ）に示すように、規制部材４１を非規制位置に移動させておく。図８（ｂ）に示すように、ドアＤを開く方向Ａに回動して、床面に回動可能に設けられた金属製のストッパー板３の上方にケース１２が位置すると、ストッパー板３の先端３ｂが磁石２１によって引き寄せられてケース１２の底壁２５に摺接する。図８（ｃ）に示すように、ストッパー板３の先端３ｂは、ケース１２の底壁２５と係止突起２７の隙間を通過して、係止凸部２６に係止される。このように、ドアストッパー１１は、ストッパー板３に係止されて、ドアＤの開く方向Ａへの回転が阻止される。しかし、ドアＤの閉じる方向Ｂへの回転は阻止されていないので、ドアＤを閉じる方向Ｂへ回動することができる。
【００３６】
ドアストッパー１１は、非規制位置では、図８（ｃ）に示すように、ストッパー板３が係止部材４０の係止凸部２６に係止される形態となっており、ドアＤの開く方向Ａへの回動は阻止されるが、規制部材４１が係止部材４０から離間しているので、ドアＤの閉じる方向Ｂへの回動は阻止されない。即ち、ストッパー板３の先端３ｂは、磁石２１の磁力により底壁２５に当接しており、非係止位置にあるため、係止凸部２６には係止されるが、係止突起２７には係止されず、ドアＤの開く方向Ａへの回動は阻止されるが、ドアＤの閉じる方向Ｂへの回動は阻止されない。
【００３７】
図８（ｄ）に示すように、ドアストッパー１１は、係止部材４０の係止凸部２６にストッパー板３の先端３ｂが係止している状態の時に、規制部材４１を規制位置に移動させると、 規制部材４１がストッパー板３を磁石２１の磁力に抗してケース１２の底壁２５から離れる方向に移動させ、ストッパー板３の先端３ｂ下部を係止部材４０のアーム部２４に接触させ、ストッパー板３の係止開口５に係止部材４０の係止突起２７を挿通させる。規制部材４１は、この状態のストッパー板３の動きを規制するので、ストッパー板３の係止を解除することができなくなり、ドアＤの閉じる方向Ｂへの回転も阻止され、ドアＤの開いた状態が保持されることになる。即ち、ストッパー板３の先端３ｂは、磁石２１の磁力に抗して押し下げられて底壁２５から離間しており、係止位置にあるため、係止凸部２６及び係止突起２７に係止され、ドアＤの開く方向Ａ及び閉じる方向Ｂへの回動が阻止される。
【００３８】
ドアストッパー１１は、図８（ｄ）に示すように、規制部材４１を規制位置に移動させると、ストッパー板３の先端３ｂを係止部材４０と規制部材４１によって完全に保持し、ストッパー板３の動きを完全に規制するので、ストッパー板３が係止部材４０から外れることがなく、ストッパー板３の係止が解除不能になる。ドアストッパー１１は、規制部材４１を非規制位置に移動させると、係止開口５が係止突起２７から外れ、ストッパー板３の動きが規制されなくなり、ストッパー板３の係止を解除することができるので、ドアＤを閉じる方向Ｂへ回動させることができる。
【００３９】
ドアストッパー１１は、規制部材４１がケース１２に摺動可能に取り付けられたカバーであると、操作性が向上し、デザイン面に優れ、部品点数が少なくなり、機能的で安価の構成にすることができる。
【００４０】
さらにドアストッパーについて詳細に説明する。ドアストッパー１１は、図２に示すように、開閉するドアＤに取り付けられ、ドアＤが開閉して、床面に設けられたストッパー装置１の上方に位置すると、ストッパー装置１の金属製のストッパー板３に係止されてドアＤの開閉を規制する。このストッパー装置１は、図１に示すように、床面にネジ、接着剤等によって固定される基台２と、基台２に回動可能に取り付けられた金属製のストッパー板３と、基台２を覆うカバー４とからなる。ストッパー板３は、板状に形成され、一方に係止開口５が形成されている。金属製のストッパー板３は、カバー４に形成された矩形状凹部６内に収納されており、他方端３ａに形成された軸７が基台２に形成された軸受け部８，８に回動可能に取り付けられている。
【００４１】
図１に示すように、ドアストッパー１１は、ケース１２と、ケース１２に摺動可能に取り付けられたカバー４１とを有する。ケース１２は、図４，５に示すように、合成樹脂によって一体成形され、背面壁１３と、背面壁１３の正面側略中央の位置であって、背面壁１３と略直角に設けられた中央壁１５とを有する。中央壁１５は、矩形体状に形成されている。中央壁１５の左面１５ａには、背面壁１３と略直角の水平壁１６が形成されている。また、中央壁１５の右面１５ｂ下部には、背面壁１３と略直角の磁石収納部１７が形成されている。磁石収納部１７は、略矩形体状に形成され、内部に略直方体状の磁石収納室１９が形成されている。背面壁１３には、磁石収納室１９と連通する開口２０が形成され、図１に示すように、開口２０から直方体状の磁石２１を磁石収納室１９内に収納することができる。
【００４２】
中央壁１５の下端２２と磁石収納部１７の下端２３は、略平面状に連続し、ケース１２の底壁２５を構成する。底壁２５は、後方から前方に向かって下降傾斜しており、磁石収納室１９も同様に下降傾斜している。図４，５に示すように、ケース１２の底壁２５から背面壁１３の下部２６が突出し、この突出部（下部）２６が係止凸部を形成する。
【００４３】
係止凸部２６の下部略中央には、アーム部材２４が形成されている。アーム部材２４は、背面壁１３と略直角に設けられ、補強のため三角状のリブ２４Ａ，２４Ｂが背面壁１３に連接されて設けられている。アーム部材２４の先端には、係止突起２７が形成されている。係止突起２７は、底壁２５側（上方）に突出し、前部にテーパ２７Ａが形成され、後部にテーパ２７Ｂが形成されている。テーパ２７Ａは、前部から後部に向かって上昇傾斜しており、テーパ２７Ｂは、前部から後部に向かって下降傾斜している。テーパ２７Ａとテーパ２７Ｂの連結点が頂点２７Ｃを形成し、ケース１２の底壁２５と係止突起２７の頂点２７Ｃとの間の隙間Ｈが、ストッパー板３の先部が挿通できる程度に形成されている。前記係止凸部２６とアーム部材２４と係止突起２７によって、ストッパー板３の係止部材４０を構成する。
【００４４】
前記中央壁１５には、上下方向に向かって貫通したガイド路２８が形成されている。ガイド路２８の左右両側には、中央壁１５の左右側面が切り欠かれて係合片２９，３０が形成されている。係合片２９，３０の上部外側には、係合爪（係合凸部）３１，３２が形成されている。係合片２９，３０の下部内側には、係止段部３３，３４が設けられている。
【００４５】
前記中央壁１５の正面略中間部には、前後方向に向かって連通孔３５が形成されている。連通孔３５は、上下方向に縦長に形成され、外部から中央壁１５の正面を貫通してガイド路２８内に連通している。背面壁１３の上部両側には、縦長のネジ挿通穴３６，３７が形成されている。背面壁１３の上端には、被覆板３９が設けられている。背面壁１３の裏面両側には、略Ｌ字状の段凹部１４，１８が形成されている。
【００４６】
カバー４１は、ケース１２と同様に合成樹脂素材によって形成され、図６，７に示すように、正面板４２と、正面板４２の左端に略直角に設けられた左面板４３と、正面板４２の右端に略直角に設けられた右面板４４と、正面板４２、左面板４３及び右面板４４の上端に設けられた上面板４５とからなる。上面板４５は、正面（前部）から背面（後部）に向かって肉厚が厚くなり、上面４６が背面（後部）に向かって上昇傾斜している。左面板４３の後端縁には、内側に向かって左係合縁４７が形成され、右面板４４の後端縁には、内側に向かって右係合縁４８が形成されている。左係合縁４７は、前記ケース１２の背面壁１３に形成された左段凹部１８に摺動可能に係合する。右係合縁４８は、前記ケース１２の背面壁１３に形成された右段凹部１４に摺動可能に係合する。
【００４７】
正面板４２の裏面及び上面板４５の下面には、一対のガイド壁５１，５２が形成されている。一対のガイド壁５１，５２の間隔は、前記ケース１２の中央壁１５の幅と略同じに形成され、左側のガイド壁５１によって中央壁１５の左面１５ａが案内され、右側のガイド壁５２によって中央壁１５の右面１５ｂが案内される。左側のガイド壁５１及び右側のガイド壁５２は、中空状に形成されており、対向する内側の面には、略中央に第１の係合凹部５３，５４が形成され、上部に第２の係合凹部５５，５６が形成されている。第１の係合凹部５３，５４は短く形成され、第２の係合凹部５５，５６は長く形成されている。
【００４８】
左側のガイド壁５１に形成された第１の係合凹部５３及び第２の係合凹部５５には、ケース１２の中央壁１５の左面１５ａに形成された係合爪（係合凸部）３１が係合する。右側のガイド壁５２に形成された第１の係合凹部５４及び第２の係合凹部５６には、ケース１２の中央壁１５の右面１５ｂに形成された係合爪（係合凸部）３２が係合する。カバー４１は、第１の係合凹部５３，５４が中央壁１５の係合爪（係合凸部）３１，３２に係合すると、ケース１２に位置決めされる。カバー４１は、第２の係合凹部５５，５６が中央壁１５の係合爪（係合凸部）３１，３２に係合すると、第２の係合凹部５５，５６内の上端５５ａ，５６ａと下端５５ｂ，５６ｂに係合爪（係合凸部）３１，３２が当接する範囲で係合爪（係合凸部）３１，３２が上下動可能であり、カバー４１がケース１２に上下方向に摺動可能となる。
【００４９】
カバー４１は、正面板４２の裏面左下部に、断面コ字状の補助部材４９が設けられている。補助部材４９は、カバー４１をケース１２に取り付けた際、ケース１２の背面壁１３正面に当接し、カバー４１とケース１２の位置関係を保持する。また、正面板４２の裏面略中央には、一対のガイド壁５１，５２間に位置して係止軸５８が形成されている。係止軸５８は、ケース１２の中央壁１５の連通孔３５を挿通してガイド路２８内に突出する。
【００５０】
ドアストッパー１１は、上記構成を有し、次のようにしてドアＤに取り付けられる。ケース１２の磁石収納室１９に開口２０から磁石２１を収納する。ケース１２の背面壁１３をドアＤの所定位置に接触させ、ネジ挿通穴３６，３７に図示しないネジを挿通してドアＤにねじ込み、ケース１２をドアＤに固定する。
【００５１】
カバー４１をケース１２に取り付ける。カバー４１は、左係合縁４７がケース１２の背面壁１３に形成された左段凹部１８に摺動可能に係合し、右係合縁４８が背面壁１３に形成された右段凹部１４に摺動可能に係合して、ケース１２に上下動可能に取り付けられる。カバー４１は、第１の係合凹部５３，５４又は第２の係合凹部５５，５６が中央壁１５の係合爪（係合凸部）３１，３２に係合する。図３に示すように、カバー４１に形成され係止軸５８が、ケース１２の中央壁１５の連通孔３５を挿通してガイド路２８内に突出する。このようにして、ドアストッパー１１は、ドアＤに取り付けられる。
【００５２】
カバー４１は、第１の係合凹部５３，５４を係合爪（係合凸部）３１，３２に係合すると、図８（ａ）に示すように、正面板４２の下端４２ａ、左面板４３の下端４３ａ、右面板４４の下端４４ａがケース１２の底壁２５よりも上方に位置し、ケース１２の底壁２５と係止突起２７の頂点２７Ｃとの間の隙間Ｈが開放されている。この位置は、ストッパー板３の先端３ｂが規制されずに隙間Ｈを通過することができ、カバー４１の非規制位置となる。
【００５３】
カバー４１は、第２の係合凹部５５，５６を係合爪（係合凸部）３１，３２に係合すると、図８（ｄ）に示すように、正面板４２の下端４２ａ、左面板４３の下端４３ａ、右面板４４の下端４４ａがケース１２の底壁２５よりも下方に位置し、ケース１２の底壁２５と係止突起２７の頂点２７Ｃとの間の隙間Ｈが塞がれている。この位置は、ストッパー板３の先端３ｂが規制されて隙間Ｈを通過することができず、カバー４１の規制位置となる。従って、カバー４１は、ストッパー板３の動きを規制する規制部材として機能する。
【００５４】
ドアストッパー１１は、次のようにして使用することができる。カバー４１を上方に引き上げて、第１の係合凹部５３，５４をケース１２の係合爪（係合凸部）３１，３２に係合させる。カバー４１は、正面板４２の下端４２ａ、左面板４３の下端４３ａ、右面板４４の下端４４ａがケース１２の底壁２５よりも上方に位置し（非規制位置）、ケース１２の底壁２５と係止突起２７の頂点２７Ｃとの間の隙間Ｈが開放されている。
【００５５】
ドアストッパー１１は、図８（ａ）に示すように、ドアＤを開いてケース１２がストッパー装置１の上方に位置すると、図８（ｂ）に示すように、ケース１２内の磁石２１の磁力によってストッパー板３が引き上げられ、ストッパー板３の先端３ｂがケース１２の底壁２５に当接する。カバー４１の正面板４２の下端４２ａ、左面板４３の下端４３ａ及び右面板４４の下端４４ａがケース１２の底壁２５から突出していないので、ストッパー板３の先端３ｂが底壁２５に沿って摺接する。
【００５６】
ストッパー板３の先端３ｂは、係止部材４０内に底壁２５と係止突起２７の間の隙間Ｈから進入し、図８（ｃ）に示すように、係止凸部２６に当接すると、ドアＤの回転が阻止され、それ以上開くことはない。係止部材４０の進入側には、係止突起２７にテーパ２７Ａが形成されているので、ストッパー板３の先端３ｂを隙間Ｈへスムーズに案内する。ドアＤは、開く方向Ａへの回動がストッパー板３によって阻止されるが、閉じる方向Ｂへの回動がストッパー板３によって阻止されないので、閉じることができる。即ち、ストッパー板３の先端３ｂは、底壁２５に当接しており、係止部材４０の係止突起２７に係止されない非係止位置（非規制位置）にあり、隙間Ｈから進入・進出することが可能な状態になっている。
【００５７】
図８（ｄ）に示すように、カバー４１を下方（規制位置）に押し下げ、第２の係合凹部５５，５６をケース１２の係合爪（係合凸部）３１，３２に係合させる。正面板４２の下端４２ａ、左面板４３の下端４３ａ及び右面板４４の下端４４ａがケース１２の底壁２５から下方に突出し、ストッパー板３の先端３ｂ上部を磁石２１の磁力に抗して押し下げる。ストッパー板３の係止開口５内に係止突起２７が挿通し、ストッパー板３の先端３ｂ下部がアーム部材２４に接触する。なお、磁石２１の磁力により、ストッパー板３が上方に引き寄せられており、ストッパー板３にカバー４１が押し上げられて、カバー４１も上方に移動しようとするが、第２の係合凹部５５，５６の下端５５ｂ，５６ｂがケース１２の係合爪（係合凸部）３１，３２に圧接係合するので、カバー４１の規制位置は保持される。
【００５８】
ストッパー板３の先端３ｂは、カバー４１の下端４３ａ，４４ａに当接し、係止凸部２６と係止突起２７間に位置する。ドアＤを閉じようとすると、ストッパー板３の係止開口５の縁部５ａに係止突起２７が係止するため、ドアＤを閉じることができない。このように、ドアストッパー１１は、係止凸部２６と係止突起２７により、ドアＤの開閉方向の回動を完全に阻止することができる。即ち、ストッパー板３の先端３ｂは、磁石２１の磁力に抗して底壁２５から離間しており、係止部材４０の係止突起２７に係止される係止位置（規制位置）にあり、隙間Ｈから進入・進出することが不可能な状態になっている。カバー４１は、正面板４２の下端４２ａ、左面板４３の下端４３ａ、右面板４４の下端４４ａがケース１２の底壁２５よりも下方に位置し（規制位置）、ケース１２の底壁２５と係止突起２７の頂点２７Ｃとの間の隙間Ｈが塞がれる。
【００５９】
ドアＤは、図８（ｄ）に示すように、開く方向Ａへの回動が、ストッパー板３の先端３ｂが係止凸部２６に当接するので、ストッパー板３によってドアＤの回転が阻止され、それ以上開くことはない。また、ドアＤは、閉じる方向Ｂへの回動が、ストッパー板３の係止開口５の縁部５ａが係止突起２７に当接するので、ストッパー板３によってドアＤの回転が阻止され、それ以上閉じることはない。このように、ドアＤは、開く方向Ａ及び閉じる方向Ｂへの回動がストッパー板３によって阻止され、開いた状態が保持されている。なお、磁石２１の磁力により、ストッパー板３が上方に引き寄せられており、カバー４１も上方に移動しようとするが、第２の係合凹部５５，５６の下端５５ｂ，５６ｂがカバー４１の係合爪（係合凸部）３１，３２に圧接係合するので、ケース１２の規制位置は保持される。また、第２の係合凹部５５，５６は、第１の係合凹部５３，５４より長く形成されているが、第１の係合凹部５３，５４と同様に短く形成されていても構わない。係る場合、カバー４１は、第２の係合凹部５５，５６が中央壁１５の係合爪（係合凸部）３１，３２に係合すると、ケース１２に位置決めされる。
【００６０】
図８（ｅ）に示すように、カバー４１を上方に引き上げて、第１の係合凹部５３，５４をケース１２の係合爪（係合凸部）３１，３２に係合させる。正面板４２の下端４２ａ、左面板４３の下端４３ａ及び右面板４４の下端４４ａがケース１２の底壁２５から上方に位置する。カバー４１は、正面板４２の下端４２ａ、左面板４３の下端４３ａ、右面板４４の下端４４ａがケース１２の底壁２５よりも上方に位置し（非規制位置）、ケース１２の底壁２５と係止突起２７の頂点２７Ｃとの間の隙間Ｈが開放される。ストッパー板３の先端３ｂ上部が磁石２１の磁力により引き寄せられてケース１２の底壁２５に当接する。ストッパー板３の係止開口５から係止突起２７が外れる。ストッパー板３は、先端３ｂが係止突起２７から外れて非係止位置に移動し、ドアＤの閉じる方向Ｂへの回動を阻止しなくなり、ドアＤを閉じることができる。
【００６１】
ドアＤは、開く方向Ａへの回動がストッパー板３によって阻止されるが、閉じる方向Ｂへの回動がストッパー板３によって阻止されないので、閉じることができる。ドアＤを閉じると、ストッパー板３の先端３ｂが、係止部材４０内に底壁２５と係止突起２７の間の隙間Ｈから進出し、図８（ａ）に示すように、ドアＤの回転が阻止されることなく閉じられる。係止部材４０の進出側には、係止突起２７にテーパ２７Ｂが形成されているので、ストッパー板３の先端３ｂを隙間Ｈへスムーズに案内する。
【００６２】
以上、図面を参照して、本発明の実施例を詳述してきたが、具体的な構成は、この実施例に限らず、本発明の要旨を逸脱しない程度の設計的変更は、本発明に含まれる。
【産業上の利用可能性】
【００６３】
本発明は、ドアの所定位置に取り付けられ、ドアを開くと、床面に設けられた金属製のストッパー板に係止され、ドアの開閉を規制するドアストッパーに利用可能である。
【符号の説明】
【００６４】
Ｄ  ドア、Ｈ  隙間、１  ストッパー装置、３  ストッパー板、３ｂ  先端、５  係止開口、１１  ドアストッパー、１２  ケース、１９  磁石収納室、２１  磁石、    ２４  アーム部材（アーム部）、２５  底壁、２６  突出部（係止凸部、下部）、２７  係止突起、３１  係合爪（係合部、係合凸部）、３２  係合爪（係合部、係合凸部）、３３  係止段部、３４  係止段部、４０  係止部材、４１  カバー（規制部材）、５１  ガイド壁、５２  ガイド壁、５３  第１の係合凹部（第１の被係合部）、５４  第１の係合凹部（第１の被係合部）、５５  第２の係合凹部（第２の被係合部）、５６  第２の係合凹部（第２の被係合部）
【図１】
2018031195.tif 000003
【図２】
2018031195.tif 000004
【図３】
2018031195.tif 000005
【図４】
2018031195.tif 000006
【図５】
2018031195.tif 000007
【図６】
2018031195.tif 000008
【図７】
2018031195.tif 000009
【図８】
2018031195.tif 000010